(57)【特許請求の範囲】
【請求項１】
単一ピースまたは複数ピースの圧電性セラミックスディスク（２）、および膜（３）から成るトランスジューサであって、当該膜（３）が音振動を減衰させるエラストマーから成り、当該圧電性セラミックスディスク（２）が硬質接着剤によって当該膜（３）に接着されることを特徴とするトランスジューサ。
【請求項２】
金属層（１４）が膜（３）上に備えられることを特徴とする請求項１に記載のトランスジューサ。
【請求項３】
膜（３）に１つ以上の周縁溝（７）が備えられることを特徴とする請求項１または２に記載のトランスジューサ。
【請求項４】
１つ以上の溝（７）が、セラミックスディスク（２）が取りつけられる側面と反対側の側面に備えられることを特徴とする請求項３に記載のトランスジューサ。
【請求項５】
１つ以上の溝（７）が膜（３）の厚さの９０％の深さを有することを特徴とする請求項３に記載のトランスジューサ。
【請求項６】
１つ以上の溝（７）が膜（３）の全厚にわたっており、このとき、そのようにして形成される膜部分が接着テープ（１０）その他によって相互連結されることを特徴とする請求項３に記載のトランスジューサ。
【請求項７】
膜（３）が、その周縁端において、軟質接着剤（６）によって、枠、装置のハウジング、または同様のものに連結されることを特徴とする請求項１から６の中のいずれか１つに記載のトランスジューサ。
【請求項８】
圧電性セラミックスディスク（２）が取りつけられる、合成材料製の装置ハウジングによって形成されることを特徴とする請求項１から６の中のいずれか１つに記載のトランスジューサ。
【請求項９】
ハウジングの壁の、圧電性セラミックスディスク（２）の位置に、開口（１３）が備えられることを特徴とする請求項８に記載のトランスジューサ。
【請求項１０】
懸垂枠（５）が、音振動を減衰させる材料で作られることを特徴とする請求項６に記載のトランスジューサ。
【請求項１１】
懸垂枠（５）がＬ字形断面を有することを特徴とする請求項７に記載のトランスジューサ。
【請求項１２】
懸垂枠（５）がＵ字形断面を有することを特徴とする請求項７に記載のトランスジューサ。
【請求項１３】
円形の開口（９）を有する板（８）によって形成される周波数フィルターが前記トランスジューサの前方に備えられることを特徴とする請求項１から１２のいずれか１つに記載のトランスジューサ。
【請求項１４】
圧電性セラミックスディスク（２）の周縁の形状が、膜（３）の周縁の形状と相違する形状を規定することを特徴とする請求項１に記載のトランスジューサ。
【発明の詳細な説明】
【０００１】
【発明の属する技術分野】
本発明は、トランスジューサ、または言い換えると、音再生および／または記録のための要素、特にスピーカーまたはマイクロホンに関する。
【０００２】
以下の説明においては、簡単なように、音再生のためのトランスジューサ、言い換えると、音再生装置についてのみ述べるが、本発明のトランスジューサは再生装置と同様に記録装置にも関する。
【０００３】
もっと詳しく言えば、本発明は、支持体と該支持体に取りつけられる圧電性セラミックスディスクとから成る振動膜を使用するタイプの圧電再生器に関する。
【０００４】
【従来の技術】
ベルギー特許第０９７００３０９号明細書には、前記タイプのトランスジューサの改良が述べられており、その改良の本質は、振動膜によって生成される音振動に対する減衰効果が得られるように、振動膜から小さな距離に配置される壁が備えられる、ということにある。
【０００５】
ベルギー特許第０９７００９３４号明細書にも、前記タイプのトランスジューサの改良が述べられており、そり改良の本質は、実質的に、金属粒子を含む減衰層が振動膜に備えられる、ということにある。
【０００６】
前記のような公知の圧電再生要素では、膜の支持体はどの場合にも金属ディスクから成る。
【０００７】
前記特許明細書に述べられている再生要素は非常に良い結果を与えるが、本件の出願人が発見したところによれば、前記金属膜を、音減衰材料たとえば合成材料、ポリマー、その他で作られた膜で置き換えることにより、前記のものよりもかなり良い結果が得られる。
【０００８】
本発明の特徴をよりよく示すために、以下では、本発明による要素のいくつかの実施形態について、添付の図面を参照しつつ説明する。
【０００９】
前記のベルギー特許第０９７００３０９号明細書においては、圧電性セラミックスディスクと、軟質接着剤によって該ディスクの周縁線に沿って取りつけられた金属膜との組合せは、最低共振周波数に大きな影響を及ぼしうる、ということが示されている。
【００１０】
実際、公知のように、たとえば、黄銅膜に接着された圧電性セラミックスディスクから成るトランスジューサの共振周波数は、下記の式によって決定される。
ｆｒ＝（ｔ／ｓ）（ｙ／ｄ（１−ｒ２））１／２
この式で、
ｔ＝膜の厚さ
Ｓ＝膜の表面積
ｙ＝ヤング率
ｒ＝ポアソン比
である。
【００１１】
前記膜をへりで懸垂させると、前記式は次のようになる。
ｆｒ＝Ｋ（ｔ／ｓ）（ｙ／ｄ（１−ｒ２））１／２
この式で、Ｋは装置因子（ａｓｓｅｍｂｌｙ ｆａｃｔｏｒ）である。
【００１２】
懸垂枠のへりの幅と接着剤の粘度とは共振周波数に影響する因子である。
【００１３】
この場合、共振周波数の式は次のようになる。
ｆｒ＝（ｂ・ｖ・ｔ／Ｄ４・ｓ）（ｙ／ｄ（１−ｒ２））１／２（１／Ｇ）
この式で、
１／Ｇ＝１
ｂ＝接着剤に対する支持へりの幅
Ｄ４＝支持されていない膜の直径
Ｖ＝接着剤の粘度
である。
【００１４】
膜と前方壁の表面との間の距離は膜の見かけの重量を増大させる。
【００１５】
この場合の共振周波数は下記の式のようになる。
ｆｒ＝（ｂ・ｖ・ｔ／Ｄ４・ｓ）（ｙ／（ｄ（Ｓ１／Ｄ１）（１−ｒ２）））１／２・（１／Ｇ）
この式で、
１／Ｇ＝１
Ｓ１＝自由運動部分の表面積
Ｄ１＝膜の運動部分と壁との間の距離
【００１６】
この懸垂と構成により、１００Ｈｚ〜２０ｋＨｚの周波数が再生できる。
【００１７】
ベルギー特許第０９７００９３４号明細書では、金属膜に発生する共振ピークを減衰させるための解決策が提示されている。その本質は、金属粉末を混入した軟質接着剤の層たとえばシリコーンまたはエラストマーの層を、膜上に備えることができ、該接着剤層が、共振周波数を低下させると同時に、共振周波数のピークを減衰させ、かつこれらのピークを他の周波数に移動させることができる、ということである。
【００１８】
前記特許明細書には、たとえば黄銅製の金属膜に接着剤で接着された圧電性セラミックスディスク要素から成る圧電性セラミックススピーカーが記載されている。
【００１９】
【発明が解決しようとする課題】
この構成の欠点は、周波数再生が一様でなく、また周波数成分に依存する、大きな高調波ひずみが生じ、したがって音楽および談話の再生品質が不十分なものになる、ということである。
【００２０】
【課題を解決するための手段】
これらの欠点を回避するために、本発明は、割合に軟質の材料、特に音振動を減衰させる材料、特にエラストマーから成る膜に、圧電性セラミックスディスクが硬質接着剤で接着される、圧電再生要素に関する。
【００２１】
前記ディスクは硬質接着剤により膜に接着され、一方ユニット全体を、たとえば合成材料製の適当な枠内に該ユニットの周縁端において接着剤で接着することができる。
【００２２】
この構成は、一様な周波数特性を有し、この特性の質は、産業上の用途における音楽および談話の再生に対して十分以上のものであり、１００Ｈｚ〜２０ｋＨｚにおいて平均３％の小さな高調波ひずみを有する。
【００２３】
【実施の形態】
以下の理論的説明は、この改良を説明するものである。
【００２４】
金属製の膜は、固有共振周波数を有し、この周波数は、与えられる振動周波数に応じていくつかの振動帯域すなわちいわゆる振動モードに分割される。
【００２５】
それぞれ図１、２、および３に示すように、正方形、長方形、および円形膜における振動モードは、基本周波数の倍振動または高調波である。
【００２６】
圧電性セラミックスディスクを前記のような膜に接着すると、新しい振動モードが生じる。そのような構成の音再生では、共振音圧の基本周波数のほかに、金属膜と圧電性セラミックスディスクとから成るこのトランスジューサの振動モードに依存するいくつかの共振が生じる。したがって、そのようなトランスジューサから構成される圧電スピーカーの周波数再生においては、たとえば図４に示すような選択的周波数再生が起る。
【００２７】
この図においては、３００、１５００、２５００、３０００、５６００、７０００、８５００、９０００Ｈｚ、および１５ｋＨｚにおいて、明らかに強い再生が観察され、ここで、３００Ｈｚはシステム全体たとえばハウジングに取りつけられたトランスジューサの自己共振周波数である。他の周波数のピークは、システムの共振周波数の高調波であるか、またはトランスジューサの振動モードに対する高調波の和である。周波数極小値は、トランスジューサの反共振点とこれらの周波数点における高調波の和である。
【００２８】
ダイナミックスピーカーにおける１ｋＨｚの正弦波（ｓｉｎｕｓ）の周波数スペクトル測定を実施したところ、図５に示すように、１ｋＨｚの基本波、および２、３、６、７ｋＨｚのその高調波が得られた。
【００２９】
金属膜上に備えた圧電性セラミックスディスクに関して同じ測定を実施したところ、図６から明らかなように、送り込まれた１ｋＨｚの基本周波数、および２、３、４、５ｋＨｚの高調波から成る周波数スペクトル再生が得られたが、これらのほかに、トランスジューサから発生する複雑なモードの共振振動たとえば１３００、１６００、２５００、３５００Ｈｚの周波数の再生も生じた。
【００３０】
したがって、金属膜に接着した圧電性セラミックスディスクは、周波数の関数としていろいろな振幅で振動する。スピーカーは同一の音圧ですべての周波数を再生しなければならない。これを実現するためには、振動モードに伴う高調波の影響を排除しなければならない。これは、振動システムの固有共振周波数を大きく引き下げて、可聴範囲の高調波の振幅がずっと小さくなるようにすることによって、実現される。
【００３１】
共振周波数の公式は下記のように与えられる。
ｆｒ＝（ｔ／ｓ）（ｙ／ｄ（１−ｒ２））１／２
この式からわかるように、ｆｒはヤング率ｙの小さな材料を膜として使用することにより、低下させることができる。
ヤング率ｙ（ＭＰａ）：
黄銅            ６２，０００
ニッケル      ２００，０００
ナイロン          ２，７００
エラストマー      ５，０００
ポアソン比：
黄銅                ０．３６
ナイロン            ０．３８
密度ｄ（ｋｇ／ｍ３）：
黄銅                  ８．５
ニッケル              ８．９
ナイロン              ０．９
エラストマー          ０．９５
ｙ／（ｄ（１−ｒ２））の部分は、ポリマーを使用すると、３〜４分の１になる。したがって、２００Ｈｚの共振周波数は＋／−６０Ｈｚに低下する。
【００３２】
【実施例】
公知のように、十分な弾性抵抗が存在する場合、板の自己共振は起りえない。図７には、本発明によるトランスジューサ１を示す。該トランスジューサは、板３に接着された圧電性セラミックスディスク２から成る。板３は、合成材料たとえばポリマー、すなわち交流を音波に変換する変換物質（ｔｒａｎｓｆｏｒｍｅｒ）から成る。この図において、空気振動は４によって示されている。
【００３３】
図８には、負荷の加わった圧電ディスクの等価電気回路を示す。この図に示す要素は、下記の意味を有する。
Ｃ０＝負荷の加わったトランスジューサのキャパシタンス
Ｒ０＝トランスジューサの誘電損［２π（Ｃ０＋Ｃ１）ｔａｎδ］−１
Ｒ１＝トランスジューサにおける機械損
Ｃ１＝圧電材料の剛性
Ｌ１＝圧電材料の質量
【００３４】
図９に示すのは、ポリマー板に接着した圧電ディスクの等価電気回路である。この図に示す要素のうち図８と異なるものの意味は下記の通りである。
Ｃ２＝ポリマー板の剛性
Ｌ２＝ポリマー板の質量
Ｒ２＝接着剤層およびポリマー板における機械損
【００３５】
この回路が共振の条件を満たす周波数に同調されていないかぎり、共振は起りえない。ポリマー板の並列負荷（剛性でも質量でも）と圧電ディスクへの強固な取りつけとは、共振の条件を満たすことを妨げる。
Ｃ２＝ポリマーのｙ２＝１０３ＭＰａ
Ｃ１＝セラミックスのｙ１＝１０５ＭＰａ
【００３６】
並列共振（Ｆｒｐ）条件を得るためには、Ｆｒｐ、Ｌ１＋Ｌ２、およびＣ０は、下記の条件を満たさなければならない。
Ｆｒｐ＝１／（２π（Ｌ１＋Ｌ２）Ｃ０）１／２
Ｆｒｐは高度に抵抗性である。
【００３７】
直列共振Ｆｒｓ条件を得るためには、Ｆｒｓ、Ｌ１、およびＣ１＋Ｃ２は、下記の条件を満たさなければならない。
Ｆｒｓ＝１／（２πＬ１（Ｃ１＋Ｃ２））１／２
Ｆｒｓは抵抗性が小さい。
【００３８】
ポリマー板の影響は下記の共振条件の場合非常に大きい。
−Ｒ１およびＲ２が直列抵抗であって、共振における回路の質を決定し、また選択共振状態の発生を妨げる。
−Ｃ１とＣ２がシステムの剛性である。ポリマー板による剛性への影響は非常に大きく、次のようである。
Ｃ１＝セラミックスのｙ＝３００，０００ＭＰａ
Ｃ２＝ポリマーのｙ＝２，７００ＭＰａ
−Ｌ１およびＬ２がシステム全体の質量である。このとき、
Ｌ１＝３ｋｇ／ｍｎセラミックス質量
Ｌ２＝０．９ｋｇ／ｍｎポリマー質量
【００３９】
したがって、いくつかの周波数に対して自己共振を起させるためのポリマー板への負荷とそれに及ぼす影響とが、非常に大きい。それゆえ、高調波または複合周波数信号による共振は起らない。
【００４０】
振動システムの支持体または懸垂枠は、下記の条件を満たさなければならない。
１）振動は懸垂枠内で十分に減衰しなければならず、板内で屈折してはならない。
２）懸垂枠は、湾曲時に板を平坦に保つために、十分に剛性でなければならない。
３）ポリマー膜の周縁と圧電性セラミックスディスクとの間のポリマー膜の中心からの距離の差の関数変化は、正または負でなければならず、この関数は、少なくとも９０°の角度にわたって、増大または減少であって、連続ではないようにしなければならない。
したがって、膜の端とセラミックス材料との間の距離は、一定ではなく、同心節パターンを示す定在波は発生せず、それゆえ共振が排除される。
【００４１】
図１０および１１には、本発明によるトランスジューサ１の二つの実施形態を示す。これらのトランスジューサは、圧電性セラミックスディスク２および合成材料製の膜３から成る。
【００４２】
これらの図において、
ＬＭ＝合成材料製の膜の長さ
Ｒ＝セラミックスディスクの半径
α＝９０°
ＳＣ＝セラミックスディスクの表面
ＳＭ＝膜の表面
である。
【００４３】
図１０に示すトランスジューサ１の機能変化を、図１２に示し、図１１に示すトランスジューサ１のそれを、図１３に示す。この場合、ＬＭ＞Ｒであれば、関数Ｆは、α＝９０°にわたって、（ＬＭ−Ｒ）である。
【００４４】
この関数は、増加および減少、正および不連続である。
【００４５】
図１１の場合、ＬＭ＞ＬＣの最大値、である。
【００４６】
図１４〜１９には、本発明によるトランスジューサ１のいくつかの実施形態を示す。これらのうち、図１７、１８、および１９においては、セラミックスディスクがいくつかの部分から成り、これらの部分は、合成材料製の支持体上に接近させて接着してあり、またこれらの部分は電気的には互いに接続されている。
【００４７】
これらの図からわかるように、セラミックスディスクは任意の形をとりうる。
【００４８】
すでに前述したように、図６に、前記のベルギー特許第０９７００３０９号および第０９７００９３４号明細書によるトランスジューサの高調波成分を示す。図２０に、圧電性セラミックスディスクとポリマー板とのある組合せの場合の、同じ１ｋＨｚ信号を示す。この図においては、１ｋＨｚが、２、３、４、５、６、および７ｋＨｚの固有高調波とともに、完全に再生されているのがはっきりと見てとれる。他のピークは存在しないかまたは無視できる程度である。
【００４９】
同じセラミックス／ポリマー構成の、ピンクノイズ発生器を用いて測定した周波数特性を、図２１に示す。大体同じ表面積を有し、大体同じ１ｋＨｚ高調波再生を与えるダイナミックトランスジューサとの比較を図５に示す。
【００５０】
これからわかるように、ダイナミックトランスジューサ、およびポリマーに接着された圧電性セラミックスという組合せによって与えられる１ｋＨｚ正弦波の高調波成分は、同程度に完全である。
【００５１】
図２２に、本発明によるトランスジューサ１を示す。このトランスジューサは、セラミックスディスク２と合成材料たとえばポリマー製の膜３とから成り、ここでは、トランスジューサ１は軟質接着剤６によって懸垂枠５に取りつけられている。
【００５２】
枠５は、減衰性の材料を形成するという条件で、いろいろな材料、たとえば合成材料、ポリマー、木材、複合材料、その他で作ることができる。
【００５３】
膜３の端からの伝送により枠５内に生成される振動エネルギーを減衰させ、同時に、前記膜の端の剛性を低下させ、したがってセラミックスディスク２に対する引っ張り力および収縮力によるより柔軟な運動を可能にするために、いくつかの溝７が膜３の端に、周縁全体にわたって、備えられている。
【００５４】
これにより、次の結果が得られた。
−懸垂枠５における振動が減衰する。
−膜３の振幅偏位が大きくなる。
−縦方向の減衰効果により、固有および自発共振が防止されるかまたは大幅に減少する。
【００５５】
図２５および２６には、枠５に接着されたポリマー膜３の周縁の溝７の電気回路を示す。
これらの図において、
Ｒ＝膜３における損失と減衰
Ｒ＝Ｒ１＋Ｒ２＋Ｒ３
Ｃ＝膜３の剛性
Ｃ＝Ｃ１＋Ｃ２＋Ｃ３
Ｌ＝膜３の質量
Ｌ＝Ｌ１＋Ｌ２＋Ｌ３
さらに、
Ｒ＝１／ＳＰ１＋１／ＳＰ２＋１／ＳＰ３
Ｃ＝ｙＰ（ＳＰ１＋ＳＰ２＋ＳＰ３）
Ｌ＝ｇＰ（ＳＰ１＋ＳＰ２＋ＳＰ３）
ここで、
ｇＰ＝ポリマーの比重量
ｙＰ＝ポリマー膜材料のヤング率Ｅ
ＳＡ＝空気の断面積
ＳＰ＝膜材料の断面積
である。
【００５６】
本発明のトランスジューサ１には、たとえば図２９に示すように、前部板８を備えることができ、該板はいくつかの開口９を有している。
【００５７】
厚さＴを有し、直径Ｄのはっきり定まった数の開口を有するそのような前部板８を使用することにより、はっきり定まった量のエネルギーを屈折させる反応性音響フィルターを作ることができる。
【００５８】
このとき、開口９の表面は単位長さあたりの容量としての機能を有し、一方壁厚Ｔは単位長さあたりのインダクタンスとしての機能を有する。図２９および３０を参照されたい。
【００５９】
ここで、次のことが成立する（図３１参照）。
Ｌ＝ｆｗＬｄｘ
Ｃ＝１／ｆｗＬｄｘ
Ｌｔｏｔ＝ｎＬ２πｒ
Ｃｔｏｔ＝πｒ２ｎ
これらの式において、
ｒ＝開口９の半径
ｎ＝開口９の数
【００６０】
懸垂枠５は強力な減衰作用を有していなければならない。
【００６１】
たとえば、高級木材たとえばブナ製の、幅２ｃｍ、厚さ３ｃｍの枠５と、周縁に溝７を有するポリプロピレン製の膜３との場合、前部に、厚さ２ｍｍの前部板８の形のフイルターが備えられ、該フィルターには、厚さ２ｍｍの開口がいくつか備えられる。
【００６２】
ポリプロピレン膜３上には、２つのディスク２が互いにきわめて接近させて接着され、これらのディスクは電気的に相互接続される。
【００６３】
そのような再生要素の構成を、図３２に示す。
【００６４】
この場合、周波数特性の解析によれば、全体的高調波ひずみ２％、およびメーター上の平均再生圧力７４ｄＢが得られた。図２０を参照されたい。周波数再生を、図２１に示す。
【００６５】
別の構成においては、直径５ｃｍの円形セラミックスディスクが合成材料たとえばポリプロピレン製の長方形膜３上に接着され、該膜の外側は下方に折り曲げられ、さらに外側は折り戻されて、支持体表面上に取りつけられるようになっている（図３３参照）。
【００６６】
ポリプロピレン膜の平坦部分の外側には、溝７が備えられ、この溝は膜３の厚さの９０％の深さに達している。
【００６７】
代替構成においては、たとえば図３５および３６に示すように、前記溝の深さを１００％として、空気スロットが形成されるようにし、それによって形成される長方形部分を接着テープ１０によって周縁に接着する。
【００６８】
この構成の周波数再生曲線を、図３７に示す。この図で気づかれるように、端懸垂枠からの屈折共振はほぼ完全に除去され、また膜３とセラミックス２の組合せの固有共振は、長方形と円の周縁の機能的な違いのため、発生しない。
【００６９】
さらにもう一つの例を図３８に示す。この場合、膜３の周縁はシリコーン接着剤１１の介在により枠５によって囲まれており、枠５はＵ字形断面を有し、合成材料で作られている。
【００７０】
産業用途のときに費用が重要である場合、構成の簡単さが本質的であり、周波数再生を＋／−２０ｄＢまで変えることができるときには、円形セラミックスディスク２が接着され、端が円形枠５内にシリコーン１１その他の軟質接着剤によって接着される、ポリマー製の円形膜３だけですでに、非常に良好な音楽と談話の再生の実現に十分である。図３９に示す、直径１２５ｍｍの円形ポリマー膜３と直径１００ｍｍの円形セラミックスディスク２とに関する、周波数再生測定の最終結果を参照されたい。
【００７１】
このトランスジューサの周波数ひずみは、いろいろな周波数において、３．５％であり、産業用の目的で十分に許容されるものである。図４０の測定結果を参照されたい。
【００７２】
ある実施形態の場合、本発明のトランスジューサ１は開口壁、言い換えると、開口が備えられた壁に、取りつけることができ、この場合、トランスジューサは膜３によって前記壁上に接着される。そのような使用は、図４０の測定曲線に示すように、＋／− ５ｄＢの、５０〜２０Ｈｚの周波数での再生を与える。ただし、このとき、ポリプロピレン製の膜は３００ｘ４２０ｍｍの寸法を有し、セラミックスディスク２は直径１００ｍｍを有し、開口は直径２６０ｍｍを有する。
【００７３】
この最後に述べたトランスジューサのひずみ測定値は、図４３に示すように、１．５％の相互変調ひずみを与える。そのようなトランスジューサは、たとえば、最大５ｍｍの厚さを有することができ、またたとえば、直径０．５ｍｍの二つの電気接点を有する。
【００７４】
図４１および４２には、既存のハウジング１２におけるそのような使用の例を示す。
【００７５】
装置のハウジングが合成材料たとえばポリカーボネートでできている非常に特殊な使用の場合、圧電性セラミックスディスク２を直接に前記ハウジングに取りつけることができ、そのようなものとして、特に、セルラーホン（ｃｅｌｌｕｌａｒ ｐｈｏｎｅ）、電話、その他のハウジング、たとえば図４３に模式的に示すようなものが思いうかべられるであろう。この場合、ハウジングは、いわば、好ましくはセラミックスディスク２の位置に開口１３が備えられた膜３を形成する。
【００７６】
図４４に示すようなさらに別の実施形態の場合、膜３はポリマー膜によって作ることができ、膜３は、電気接点１５が備えられた、熱真空技術によって変形された金属層１４で被覆されているかまたは被覆されておらず、この変形のあと、圧電性セラミックスディスク２を、ポリマー膜の金属側に接着することができる。このポリマー膜は、ポリマー、エラストマー、またはポリエステルの混合物から成ることができる。
【００７７】
金属層１４は、たとえば、銀、金、金属その他の導電体で、トランスジューサの接点１５の一つと接触するようなものとすることができる。セラミックスがこの金属層上に接着され、接触するので、このセラミックスとの無線接続が実現され、膜は局所負荷に妨げられることなく動くことができる。
【００７８】
当然のことながら、本発明は、決して、上で説明し、また添付の図面に示した例に限定されるものではない。逆に、本発明によるトランスジューサは、本発明の範囲を逸脱することなく、いろいろな形態と寸法で実施することができる。
【図面の簡単な説明】
【図１】正方形金属膜における振動モードを示す図である。
【図２】長方形金属膜における振動モードを示す図である。
【図３】円形金属膜における振動モードを示す図である。
【図４】金属膜を有する公知の圧電再生器における周波数再生の結果を示す図である。
【図５】ダイナミックスピーカーの１ｋＨｚ正弦波（ｓｉｎｕｓ）の周波数スペクトル測定の結果を示す図である。
【図６】図５と同様の図であるが、金属膜上の圧電性セラミックスディスクに関する結果である。
【図７】本発明によるトランスジューサの模式図である。
【図８】負荷時の圧電ディスクの電気回路図である。
【図９】合成材料の板に接着された圧電ディスクの電気回路図である。
【図１０および１１】本発明による再生要素の実施形態の模式図である。
【図１２および１３】図１０および１１に示すトランスジューサの機能を角度の関数として示す図である。
【図１４〜１９】いろいろな形態のトランスジューサを示す図である。
【図２０】本発明のトランスジューサの１ｋＨｚの高調波成分を示す図である。
【図２１】本発明のトランスジューサの周波数特性を示す図である。
【図２２】本発明によるトランスジューサの可能な懸垂枠の断面を示す図である。
【図２３】図２２にＦ２３で示す部分の拡大図である。
【図２４】図２２のＦ２４の向きに見た図である。
【図２５および２６】本発明によるトランスジューサの膜における減衰に関する電気回路図である。
【図２７】図２３と同様の図である。
【図２８】図２７にＦ２８で示す部分の拡大図である。
【図２９】前部板と組合せた本発明のトランスジューサの断面図である。
【図３０】図２９の矢印Ｆ３０の向きに見た図である。
【図３１】図２９の前部板の周波数ろ波機能に関する電気回路図である。
【図３２】二部分から成るセラミックスディスクを有するトランスジューサを示す図である。
【図３３】本発明のトランスジューサの特定実施形態の断面図である。
【図３４】図３３にＦ３４で示す部分の拡大図である。
【図３５】本発明のトランスジューサの他の可能な実施形態の平面図である。
【図３６】図３５の線ＸＸＸＶＩ−ＸＸＸＶＩに沿う断面図である。
【図３７】図３５のトランスジューサの周波数特性を示す図である。
【図３８】図２２に示すものの変形実施形態を示す図である。
【図３９】図３７に示すものと同様の図であるが、円形ポリマー膜と円形セラミックスディスクとを有するトランスジューサの図である。
【図４０】図３２に示すトランスジューサの周波数特性を示す図である。
【図４１および４２】特殊なまたは既存のハウジングたとえばセルラーホンのハウジングに取りつけられた、本発明のトランスジューサの断面図である。
【図４３】圧電性セラミックスディスクが内部に備えられる、膜として作用するセルラーホンハウジングによって形成される本発明のトランスジューサを示す図である。
【図４４】本発明によるトランスジューサの別の変形実施形態を示す図である。
【符号の説明】
１  トランスジューサ
２  圧電性セラミックスディスク
３  板
４  空気振動
５  懸垂枠
６  軟質接着剤
７  溝
８  前部板
９  開口
１０  接着テープ
１１  シリコーン接着剤
１２  ハウジング
１３  開口
１４  金属層
１５  電気接点
【図１】
0004180255.tif 000002
【図２】
0004180255.tif 000003
【図３】
0004180255.tif 000004
【図４】
0004180255.tif 000005
【図５】
0004180255.tif 000006
【図６】
0004180255.tif 000007
【図７】
0004180255.tif 000008
【図８】
0004180255.tif 000009
【図９】
0004180255.tif 000010
【図１０】
0004180255.tif 000011
【図１１】
0004180255.tif 000012
【図１２】
0004180255.tif 000013
【図１３】
0004180255.tif 000014
【図１４】
0004180255.tif 000015
【図１５】
0004180255.tif 000016
【図１６】
0004180255.tif 000017
【図１７】
0004180255.tif 000018
【図１８】
0004180255.tif 000019
【図１９】
0004180255.tif 000020
【図２０】
0004180255.tif 000021
【図２１】
0004180255.tif 000022
【図２２】
0004180255.tif 000023
【図２３】
0004180255.tif 000024
【図２４】
0004180255.tif 000025
【図２５】
0004180255.tif 000026
【図２６】
0004180255.tif 000027
【図２７】
0004180255.tif 000028
【図２８】
0004180255.tif 000029
【図２９】
0004180255.tif 000030
【図３０】
0004180255.tif 000031
【図３１】
0004180255.tif 000032
【図３２】
0004180255.tif 000033
【図３３】
0004180255.tif 000034
【図３４】
0004180255.tif 000035
【図３５】
0004180255.tif 000036
【図３６】
0004180255.tif 000037
【図３７】
0004180255.tif 000038
【図３８】
0004180255.tif 000039
【図３９】
0004180255.tif 000040
【図４０】
0004180255.tif 000041
【図４１】
0004180255.tif 000042
【図４２】
0004180255.tif 000043
【図４３】
0004180255.tif 000044
【図４４】
0004180255.tif 000045